(57)【特許請求の範囲】
【請求項１】
複数本のケーブルが並設されたプラグと、基板上に形成された導電パターンに導通し、かつプラグコンタクトと接触する一つのコンタクト部を有する複数本のレセプタクルコンタクトを並設したレセプタクルとを有し、前記プラグを前記レセプタクルに嵌着させることにより、前記レセプタクルコンタクトを介し、前記ケーブルと前記導電パターンとを電気的に接続させるようにしたケーブル用コネクタにおいて、
前記プラグは、
内部に接触面積の異なる複数種類のプラグコンタクトが並設されるプラグハウジングと、該プラグハウジングに配置された前記ケーブルの各一端を対応する前記プラグコンタクトに圧接させる絶縁圧接カバーとを有し、
前記レセプタクルは、
前記プラグコンタクトと対応する位置に、前記プラグコンタクトと接触する一つのコンタクト部であって、他のコンタクト部と互い連結することがない一つのコンタクト部を有し、かつ互いに独立した同一形状の複数本のレセプタクルコンタクトを並設したレセプタクルボディを有し、
前記プラグを前記レセプタクルに嵌着させた際、前記複数種類のプラグコンタクトのうち接触面積の大きい一つのプラグコンタクトに対し、前記プラグコンタクトと接触する一つのコンタクト部であって、他のコンタクト部と互い連結することがない一つのコンタクト部を有し、かつ互いに独立した同一形状のレセプタクルコンタクトを複数本接触させるようにしたことを特徴とするケーブル用コネクタ。
【請求項２】
複数本の同軸ケーブルと複数本の電源線用ケーブルとが並設されたプラグと、基板上に形成された導電パターンに導通し、かつプラグコンタクトと接触する一つのコンタクト部を有する複数本のレセプタクルコンタクトを並設したレセプタクルとを有し、前記プラグを前記レセプタクルに嵌着させることにより、前記レセプタクルコンタクトを介し、前記同軸ケーブルと前記電源線用ケーブルとを前記導電パターンに電気的に接続させるようにしたケーブル用コネクタにおいて、
前記プラグは、
内部に接触面積の異なる複数種類のプラグコンタクトが並設されるプラグハウジングと、該プラグハウジングに配置された前記同軸ケーブルの各一端を前記複数種類のプラグコンタクトのうち接触面積の小さい各プラグコンタクトに圧接させるとともに、前記プラグハウジングに配置された前記電源線用ケーブルの各一端を前記複数種類のプラグコンタクトのうち接触面積の大きい各プラグコンタクトに圧接させる絶縁圧接カバーとを有し、
前記レセプタクルは、
前記プラグコンタクトと対応する位置に、前記プラグコンタクトと接触する一つのコンタクト部であって、他のコンタクト部と互い連結することがない一つのコンタクト部を有し、かつ互いに独立した同一形状の複数本のレセプタクルコンタクトを並設したレセプタクルボディを有し、
前記プラグを前記レセプタクルに嵌着させた際、前記接触面積の小さい一つのプラグコンタクトに対し、１つの前記レセプタクルコンタクトを接触させるとともに、前記接触面積の大きい一つのプラグコンタクトに対し、前記プラグコンタクトと接触する一つのコンタクト部であって、他のコンタクト部と互い連結することがない一つのコンタクト部を有し、かつ互いに独立した同一形状のレセプタクルコンタクトを複数本接触させるようにしたことを特徴とするケーブル用コネクタ。
【発明の詳細な説明】
【０００１】
【発明の属する技術分野】
この発明は、ノート型パソコン等の小型電子機器に使用されるコネクタに関し、特に、基板とケーブルとを接続するケーブル用コネクタの改良に関する。
【０００２】
【従来の技術】
従来から、ノート型パソコン等の小型電子機器内には、マザーボード等の基板と、液晶表示装置（Ｌｉｑｕｉｄ  Ｃｒｙｓｔａｌ  Ｄｉｓｐｌａｙ）（以下、単にＬＣＤという）等に接続されたケーブルとの間の電気的接続を図る装置として、ケーブル用コネクタが使用されている。
この従来のケーブル用コネクタは、通常、複数本のケーブルを所定ピッチで並設したプラグと、基板上に形成された導電パターンに導通する複数本のコンタクトを所定ピッチで並設したレセプタクルとから構成されており、プラグをレセプタクルに嵌着させることにより、各ケーブルの芯線である金属導体を、対応する各コンタクトに圧接させ、これにより、ケーブルの金属導体と導電パターンとを電気的に接続する。
【０００３】
また、この従来のケーブル用コネクタは、通常、信号線用ケーブル専用のケーブル用コネクタとして使用されており、また、各コンタクトは同一形状に形成されている。
【０００４】
【発明が解決しようとする課題】
ところで、上述した従来のケーブル用コネクタは、通常、ケーブル内を流れる電流値が低い信号線用ケーブル専用のコネクタとして使用されており、また、各コンタクトは同一形状に形成されているから、この従来のケーブル用コネクタを、例えば、信号用ケーブルより芯線が太く電流容量の大きい電源線用ケーブルの電気的接続に使用すると、電源線用ケーブルではケーブル内を流れる電流値が大きいため、当該各ケーブルと該各ケーブルと対応する各コンタクトとの間で発熱しやすく、これにより、基板及びケーブルを含む機器全体が損傷するという問題があった。
この発明は、上述した事情に鑑み、複数種類のケーブルと基板とを電気的に安定して接続するケーブル用コネクタを提供することを目的とする。
【０００５】
【課題を解決するための手段】
上述した課題を解決するため、この発明では、複数本のケーブルが並設されたプラグと、基板上に形成された導電パターンに導通し、かつプラグコンタクトと接触する一つのコンタクト部を有する複数本のレセプタクルコンタクトを並設したレセプタクルとを有し、前記プラグを前記レセプタクルに嵌着させることにより、前記レセプタクルコンタクトを介し、前記ケーブルと前記導電パターンとを電気的に接続させるようにしたケーブル用コネクタにおいて、前記プラグは、内部に接触面積の異なる複数種類のプラグコンタクトが並設されるプラグハウジングと、該プラグハウジングに配置された前記ケーブルの各一端を対応する前記プラグコンタクトに圧接させる絶縁圧接カバーとを有し、前記レセプタクルは、前記プラグコンタクトと対応する位置に、前記プラグコンタクトと接触する一つのコンタクト部であって、他のコンタクト部と互い連結することがない一つのコンタクト部を有し、かつ互いに独立した同一形状の複数本のレセプタクルコンタクトを並設したレセプタクルボディを有し、前記プラグを前記レセプタクルに嵌着させた際、前記複数種類のプラグコンタクトのうち接触面積の大きい一つのプラグコンタクトに対し、前記プラグコンタクトと接触する一つのコンタクト部であって、他のコンタクト部と互い連結することがない一つのコンタクト部を有し、かつ互いに独立した同一形状のレセプタクルコンタクトを複数本接触させるようにしている。
【０００６】
【発明の実施の形態】
以下、この発明に係るケーブル用コネクタの一実施例について詳述する。
図１は、この発明に係るケーブル用コネクタの構成を示す要部概念断面図である。
この発明のケーブル用コネクタ１は、図１で示すように、基板８１上に固定されたレセプタクル５１と、矢印Ａで示すようにレセプタクル５１に嵌合自在な凹部３ａが形成されたプラグ２とから構成されており、図１と同一部分を同一符号で示す図２のように、プラグ２の凹部３ａをレセプタクル５１に嵌合させてプラグ２をレセプタクル５１に嵌着すると、プラグ２に配置されている電源線用ケーブル２１と、基板８１上の導電パターン８２との間の電気的接続を図るものである。
【０００７】
このうち、図１で示すレセプタクル５１は、金属導体からなるレセプタクルコンタクト５２と、該レセプタクルコンタクト５２を配置するレセプタクルボディ５３とから構成されている。
また、このうちのレセプタクルコンタクト５２は、可撓性のアーム５２ａからなる一端と、基板８１の導電パターン８２に連結し導通する脚部５２ｂからなる他端とから構成されており、可撓性のアーム５２ａには、レセプタクルボディ５３から外部に向け突出するコンタクト部５４が形成されている。
また、レセプタクルコンタクト５２は、レセプタクル５１の概念上面図で示す図３のように、レセプタクルボディ５３に、所定のピッチで複数本並設されている。なお、図３では、図１と同一部分を同一符号で示している。
なお、このレセプタクルコンタクト５２の配設ピッチは、後述するプラグコンタクト４の配設ピッチに応じて設定されている。
また、レセプタクルコンタクト５２を配置するレセプタクルボディ５３には、図３で示すように、両端に固定金具５４が嵌着されており、レセプタクル５１はこの固定金具５４によって、基板８１に固定されている。
【０００８】
一方、図１で示すプラグ２は、内部にプラグコンタクト４を配設するプラグハウジング３と、プラグコンタクト４の上部に配置される絶縁圧接カバー７と、該絶縁圧接カバー７およびハウジング３の上面を覆うシールド部材８とから構成されている。
このうち、シールド部材８は、アルミ等の金属からなり、プラグ２の概念上面図で示す図４のように、プラグ２の上面２ａを構成している。なお、図４では、図１と同一部分を同一符号で示している。
【０００９】
また、図１で示すプラグハウジング３は、シールド部材８を取り除いた状態を示す概念上面図で示す図５のように、電源線用ケーブル２１と信号線用ケーブル３１とを、基板８１（図１）に対し平行に、それぞれ所定のピッチで列状に並設しており、また、電源線用ケーブル２１および信号線用ケーブル３１の各一端２１ａ、３１ａは、絶縁圧接カバー７によって覆われている。
【００１０】
また、信号線用ケーブル３１の略中央は、プラグハウジング２の凹部２ｂに嵌合する絶縁部材１０によって支承されており、これにより、信号線用ケーブル３１は確実にプラグハウジング２に位置決め配置されている。なお、この信号線用ケーブル３１には、通常、同軸ケーブルが使用されている。
【００１１】
一方、プラグコンタクト４は、図１で示す電源線用ケーブル対応のプラグコンタクト５と、信号線用ケーブル対応のプラグコンタクト６（図７、図８）の２種類のコンタクトから構成されている。
【００１２】
このうち、電源線用ケーブル対応のプラグコンタクト５は、基板８１の上方に向け先端５ａが形成された断面略Ｕ字形の可撓性金属導体からなり、凹部３ａ側に位置する一端５ｂと、凹部３ａと逆側に位置し、一端５ｂ側に折れ曲がった他端５ｃとから構成されている。
【００１３】
また、このうちの一端５ｂには、電源線用ケーブル対応のプラグコンタクト５の下面図を示す図６で示すように、２本の切り込み１１、１２によって３つの舌片５ｄ、５ｅ、５ｆが形成されており、中央の舌片５ｅは、図１で示すように、両側の舌片５ｄ、５ｆより他端５ｃ側に倒されている。また、両端の舌片５ｄ、５ｆは、凹部３ａ内に向け露出している。
【００１４】
また、この電源線用ケーブル対応のプラグコンタクト５内には、絶縁圧接カバー７の押圧部７ａによって押圧された電源線用ケーブル２１の芯線である一端２１ａが、押圧部７ａに沿ってＵ字形状に嵌挿し、嵌挿した一端２１ａはプラグコンタクト５の一端５ｂの舌片５ｅと他端５ｃとによって、把持されている。
【００１５】
また、この電源線用ケーブル対応の各プラグコンタクト５は、図４のプラグ２の下面図で示す図７のように、電源線用ケーブル２１の配設ピッチと同一ピッチでプラグハウジング３に配設されており、図面右側に配置されている信号線用ケーブル対応の各プラグコンタクト６に比し、その幅が広く形成されている。
【００１６】
一方、図５の図面左側に示す信号線用ケーブル対応のプラグコンタクト６は、図４のＢＢ拡大概念断面図で示す図８のように、基板８１の上方に向け先端６ａが形成された断面略Ｕ字形の把持部６ｂと、該把持部６ｂに導通し、かつ凹部３ａに露出する接触部６ｃとからなる可撓性金属導体から構成されており、把持部６ｂ内には、絶縁圧接カバー７の押圧部７ａによって押圧された信号線用ケーブル３１の芯線である一端３１ａが、押圧部７ａに沿ってＵ字形状に嵌挿しており、この嵌挿した一端３１ａは、プラグコンタクト６の把持部６ｂによって把持されている。
なお、信号線用ケーブル３１の芯線である一端３１ａが、このようにプラグコンタクト６の把持部６ｂによって把持されている状態を、図８の要部概念上面図である図９で示す。なお、この図９では、絶縁圧接カバー７を取り除いて示している。
【００１７】
また、信号線用ケーブル対応のプラグコンタクト６は、図７で示すように、信号線用ケーブル３１の配設ピッチと同一ピッチでプラグハウジング３に配設されており、また、各信号線用ケーブル対応の各プラグコンタクト６は、電源線用ケーブル対応の各プラグコンタクト５に比し、その幅が狭く形成されている。
【００１８】
次に、このケーブル用コネクタ１の作用を説明し、併せて構成をより詳細に説明する。
このケーブル用コネクタ１によると、図１で示すプラグ２を、矢印Ｃで示すように基板８１に向け押圧し、その凹部３ａを、レセプタクルコンタクト５２のアーム５２ａの弾発力に抗し、基板８１上のレセプタクル５１に嵌合させる。
【００１９】
すると、凹部３ａに向け露出する電源線用ケーブル対応の各プラグコンタクト５の舌片５ｄ、５ｆが、図２で示すように、それぞれ対向する各レセプタクルコンタクト５１のアーム５２ａの弾発力によって、各コンタクト部５４に圧接され、また同時に、図１、８と同一部分を同一符号で示す図１０のように、凹部３ａに向け露出する信号線用ケーブル対応の各プラグコンタクト６の接触部６ｅが、対向する各レセプタクルコンタクト５１のアーム５２ａの弾発力によって、各コンタクト部５４に圧接される。
したがって、このケーブル用コネクタ１では、プラグ２の凹部３ａをレセプタクル５１に嵌合させるのみで、上述した複数本のアーム５２ａの弾発力によって、プラグ２を確実にレセプタクル５１に嵌着することができる。
【００２０】
また、このようにプラグ２をレセプタクル５１に嵌着した際、各信号線用ケーブル対応のプラグコンタクト６は、上述したように接触部６ｅにコンタクト部５４が圧接されており、また同時に、図１０で示すように、把持部６ｂで信号線用ケーブル３１の芯線である一端３１ａを把持している。
そのため、信号線用ケーブル３１の芯線３１ｂは、プラグコンタクト６、および該プラグコンタクト６の接触部６ｅに対応するレセプタクルコンタクト５２とを介し、レセプタクルコンタクト５２に導通する導電パターン８２に電気的に接続する。
【００２１】
一方、図２で示すようにプラグ２をレセプタクル５１に嵌着した際、各電源線用ケーブル対応のプラグコンタクト５は、上述したように、２つの舌片５ｄ、５ｆにコンタクト部５４が圧接されており、また同時に、図２および図２のＤＤ概念断面図で示す図１１のように、一端５ｂの舌片５ｅと他端５ｃとの間に、電源線用ケーブル２１の芯線である一端２１ａを把持している。
そのため、電源線用ケーブル２１の芯線２１ａは、該芯線２１ａを舌片５ｅと他端５ｃとの間に把持するプラグコンタクト５、および該プラグコンタクト５の舌片５ｄ、５ｆに圧接する２つのレセプタクルコンタクト５２とを介し、該レセプタクルコンタクト５２に導通する導電パターン８２に電気的接続する。
したがって、このケーブル用コネクタ１では、プラグ２をレセプタクル５１に嵌着した際、信号線用ケーブル３１を基板８１と電気的接続することができ、また、１つのコネクタで２種類のケーブル２１、３１を同時に基板８１と電気的接続することができる。
また、このケーブル用コネクタ１では、プラグ２をレセプタクル５１に嵌着するには、プラグ２の凹部３ａをレセプタクル５１に上下方向から嵌合させるのみでよいから、電気的接続作業を簡単に行うことができる。
【００２２】
また、このケーブル用コネクタ１では、レセプタクル５１の上方には、プラグ２の凹部３ａを嵌合させるためのスペースが確保されているから、プラグをレセプタクルに嵌合する作業は簡単で、これにより、ケーブル用コネクタ１の幅方向のコンパクト化を図ることができ、かつ、電気的接続作業が簡単なケーブル用コネクタを製造することができる。
また、このケーブル用コネクタ１では、プラグ２は、基板８１に対し平行にケーブル２１、３１を配置し、この状態で電気的接続を図ることができるから、これにより、ケーブル用コネクタの低背化も図られる。
【００２３】
したがって、このケーブル用コネクタ１によると、ノート型パソコン等の小型電子機器内において、ケーブル用コネクタ１が載置される基板８１側全体の低背化を図ることもでき、そのため、機器全体の小型化や機器内の各種装置の配置変更に有効で、特に、近年のＬＣＤの薄型化に伴って検討されている配置、すなわち、基板をＬＣＤ本体の横に配置することを実現化することができる。
【００２４】
また、このケーブル用コネクタ１では、電源用ケーブル対応のプラグコンタクト５は、その幅が信号線用ケーブル３１のプラグコンタクト６に比し広く形成されており、そのため、電源用ケーブル２１と導電パターン８２との電気的接続を図る際、プラグコンタクト５が芯線２１ａと接触し導通する面積、すなわち、いわゆる接触面積が、信号線用ケーブル対応のプラグコンタクト６の接触面積より大きいから、ケーブル内に流れる電流値が大きい電源線用ケーブル３１に対し電気抵抗値を低く設定することができる。
【００２５】
したがって、電源用ケーブル３１と導電パターン８２との電気的接続を図る際、電流抵抗値を低く設定するから、従来、電源線用ケーブル３１を接続する際生じていた各ケーブル３１と各コンタクト５、５２との間の発熱を可及的に防止でき、これにより、発熱によって基板８１及びケーブル３１を含む機器全体が損傷する虞を可及的に防止できるので、安定した電気的接続を図ることができる。
【００２６】
また、このケーブル用コネクタ１では、一本の電源用ケーブル対応のプラグコンタクト５に、２つのレセプタクルコンタクト５２が接触し導通を図るから、該プラグコンタクト５とレセプタクルコンタクト５２とからなるコンタクトが、芯線２１ａと導通する導通面積を大きくすることができ、これにより、電源線用ケーブル３１に対し電気抵抗値をさらに低く設定することができるので、上述した各ケーブル３１と各コンタクト５、５２との間の発熱をさらに防止し、発熱によって機器全体が損傷する虞を更に可及的に防止することもでき、安定した電気的接続を図ることができる。
【００２７】
また、この実施例のケーブル用コネクタ１では、プラグコンタクト４は、接触面積の異なる２種類のプラグコンタクトから構成されることとし、接触面積の大きいプラグコンタクト５に対し、２本のレセプタクルコンタクト５２を接触させ、これにより、ケーブル内を流れる電流が大きい電源用ケーブル３１を、基板８１と電気的接続を図るようにしたが、プラグコンタクト５の大きさ、およびプラグコンタクト５接触するレセプタクルコンタクト５２の本数はこれに限定せず、プラグコンタクト５の大きさ、および該プラグコンタクト５２に接触するレセプタクルコンタクト５２の本数は、接続する対象となるケーブルの電流容量に応じて、設定するようにしてもよい。
【００２８】
【発明の効果】
以上説明したように、この発明に係るケーブル用コネクタでは、プラグコンタクトは、接触面積の異なる２種類のプラグコンタクトから構成されることとし、接触面積の大きいプラグコンタクトに対し、複数本のレセプタクルコンタクトを接触させることとしたから、プラグコンタクトがケーブルの芯線と接触し導通する面積、すなわち、いわゆる接触面積を大きくして、レセプタクルコンタクトとプラグコンタクトの間の電気抵抗を低くし、これにより、ケーブル内に流れる電流値が大きいケーブルとコンタクトとの間の発熱、および発熱による機器全体の損傷の虞を更に可及的に防止することができるので、安定した電気的接続を図ることができる。
【００２９】
したがって、この発明によれば、複数種類のケーブルと基板とを電気的に安定して接続するケーブル用コネクタを提供することができ、これにより、安価なノート型パソコン等の小型電子機器を提供することができる。
【図面の簡単な説明】
【図１】図１は、この発明に係るケーブル用コネクタの要部概念断面図で、電源線用ケーブルを基板に接続する前の様子を示す図。
【図２】図２は、この発明に係るケーブル用コネクタの要部概念断面図で、電源線用ケーブルを基板に接続した後の様子を示す図。
【図３】図３は、この発明に係るケーブル用コネクタのレセプタクルが基板上に配置されている様子を示す概念上面図。
【図４】図４は、この発明に係るケーブル用コネクタのプラグを示す概念上面図。
【図５】図５は、この発明に係るケーブル用コネクタを構成するプラグの要部概念上面図で、シールド部材を取り外した様子を示す図。
【図６】図６は、この発明に係るケーブル用コネクタを構成するプラグのプラグコンタクトを示す概念下面図。
【図７】図７は、この発明に係るケーブル用コネクタのプラグを示す概念下面図。
【図８】図８は、この発明に係るケーブル用コネクタのプラグが、信号用ケーブルを配置している様子を示す要部概念断面図で、図４のＢ−Ｂ拡大概念断面図。
【図９】図９は、この発明に係るケーブル用コネクタのプラグが、信号用ケーブルを配置している様子を示す要部概念断面図で、特に絶縁圧接カバーを取り除いた様子を示す図。
【図１０】図１０は、この発明に係わるケーブル用コネクタの要部概念断面図で、信号用ケーブルを基板に接続した後の様子を示す図。
【図１１】図１１は、この発明に係わるケーブル用コネクタを示す図で、電源用ケーブルを基板に接続した後の様子を示す図２のＤ−Ｄ概念断面図。
【符号の説明】
１…ケーブル用コネクタ
２…プラグ
３…プラグハウジング
４、５、６…プラグコンタクト
５…接触面積の大きいプラグコンタクト
６…接触面積の小さいプラグコンタクト
７…絶縁圧接カバー
２１…電源線用ケーブル
３１…同軸ケーブル
２１、３１…複数本のケーブル
２１ａ、３１ａ…ケーブルの各一端
５１…レセプタクル
５２…レセプタクルコンタクト
５３…レセプタクルボディ
８１…基板
８２…導電パターン
【図１】
0004324822.tif 000002
【図２】
0004324822.tif 000003
【図３】
0004324822.tif 000004
【図４】
0004324822.tif 000005
【図５】
0004324822.tif 000006
【図６】
0004324822.tif 000007
【図７】
0004324822.tif 000008
【図８】
0004324822.tif 000009
【図９】
0004324822.tif 000010
【図１０】
0004324822.tif 000011
【図１１】
0004324822.tif 000012